【手続補正書】
【提出日】令和3年10月20日(2021.10.20)
【手続補正１】
【補正対象書類名】特許請求の範囲
【補正対象項目名】全文
【補正方法】変更
【補正の内容】
【特許請求の範囲】
【請求項１】
ホログラフィック媒体を含む体積ホログラムであって、前記ホログラフィック媒体が、
照明時に第１角度で、第１データを含む第１画像を再生する、第１光学干渉構造と、
照明時に第２角度で、第２データを含む第２画像を再生する、第２光学干渉構造と、を含む、体積ホログラム。
【請求項２】
前記ホログラフィック媒体が、照明時にさらなる角度で、さらなるデータを含むさらなる画像を再生する、少なくとも１つのさらなる光学干渉構造をさらに含む、請求項１に記載のホログラム。
【請求項３】
前記第１データ、第２データ、及び／又はさらなるデータが、セキュリティ、検証、確証、識別、及び／又は認証データを含む、請求項１又は２に記載のホログラム。
【請求項４】
前記第１データ、第２データ、及び／又はさらなるデータが、共通暗号化された要素を含有する、請求項１、２、又は３に記載のホログラム。
【請求項５】
前記第１画像、第２画像、及び／又は存在する場合にはさらなる画像が、一連のレンチキュールを含むレンチキュラーレンズ層と、前記一連のレンチキュールに対応する第１及び第２インターレース画像を含むレンチキュラー画像層と、を含む、請求項１〜４のいずれか１項に記載のホログラム。
【請求項６】
前記第１光学干渉構造が、照明時に第１波長の光で前記第１画像を再生し、
前記第２光学干渉構造が、照明時に第２波長の光で前記第２画像を再生する、請求項１〜５のいずれか１項に記載のホログラム。
【請求項７】
請求項３３に直接又は間接的に従属する場合、前記少なくとも１つのさらなる光学干渉構造が、照明時にさらなる波長の光で前記さらなる画像を再生する、請求項６に記載のホログラム。
【請求項８】
前記第１光学干渉構造が、照明時に第１見かけの深さで前記第１画像を再生し、
前記第２光学干渉構造が、照明時に第２見かけの深さで前記第２画像を再生する、請求項１〜７のいずれか１項に記載のホログラム。
【請求項９】
請求項１に直接又は間接的に従属する場合、前記少なくとも１つのさらなる光学干渉構造が、照明時にさらなる見かけの深さで前記さらなる画像を再生する、請求項８に記載のホログラム。
【請求項１０】
請求項１〜９のいずれか１項に記載のホログラムを作成する方法であって、前記方法が、ホログラフィック媒体に、照明時に第１角度で、第１データを含む第１画像を再生する、第１光学干渉構造を記録することと、照明時に第２角度で、第２データを含む第２画像を再生する、第２光学干渉構造を記録することと、を含む、方法。
【請求項１１】
ホログラフィック媒体を含む体積ホログラムであって、
前記ホログラフィック媒体が、照明時に第１画像を再生する第１光学干渉構造を含み、
前記第１画像が、一連のレンチキュールを含むレンチキュラーレンズ層と、前記一連のレンチキュールに対応する第１及び第２インターレース画像を含むレンチキュラー画像層と、を含む、体積ホログラム。
【請求項１２】
前記第１インターレース画像が第１データを含む、請求項１１に記載のホログラム。
【請求項１３】
前記第２インターレース画像が第２データを含む、請求項１１又は１２に記載のホログラム。
【請求項１４】
前記第１及び／又は第２データが、セキュリティ、検証、確証、識別、及び／又は認証データを含む、請求項１２又は１３に記載のホログラム。
【請求項１５】
前記レンチキュラー画像層が、前記一連のレンチキュールに対応する少なくとも１つのさらなるインターレース画像を含む、請求項１１〜１４のいずれか１項に記載のホログラム。
【請求項１６】
前記少なくとも１つのさらなるインターレース画像が、さらなるデータを含む、請求項１５に記載のホログラム。
【請求項１７】
前記さらなるデータが、セキュリティ、検証、確証、識別、及び／又は認証データを含む、請求項１６に記載のホログラム。
【請求項１８】
請求項１２、１３、及び１６のうちの少なくとも２つに直接又は間接的に従属する場合、前記第１データ、第２データ、及び／又はさらなるデータのうちの少なくとも２つが、共通暗号化された要素を含有する、請求項１１〜１７のいずれか１項に記載のホログラム。
【請求項１９】
前記第１光学干渉構造が、照明時に第１波長の光で前記第１画像を再生し、
前記ホログラフィック媒体が、照明時に第２波長の光で第２画像を再生する、第２光学干渉構造をさらに含む、請求項１１〜１８のいずれか１項に記載のホログラム。
【請求項２０】
前記第１光学干渉構造が、照明時に第１角度で前記第１画像を再生し、
前記ホログラフィック媒体が、照明時に第２角度で第２画像を再生する、第２光学干渉構造をさらに含む、請求項１１〜１９のいずれか１項に記載のホログラム。
【請求項２１】
前記第１光学干渉構造が、照明時に第１見かけの深さで前記第１画像を再生し、
前記ホログラフィック媒体が、照明時に第２見かけの深さで第２画像を再生する、第２光学干渉構造をさらに含む、請求項１１〜２０のいずれか１項に記載のホログラム。
【請求項２２】
請求項１１〜２１のいずれか１項に記載の体積ホログラムを作成する方法であって、前記方法が、ホログラフィック媒体に、一連のレンチキュールを含むレンチキュラーレンズ層、及び前記一連のレンチキュールに対応する第１及び第２インターレース画像を含むレンチキュラー画像層の画像を再生する、第１光学干渉構造を記録することを含む、方法。
【請求項２３】
ホログラフィック媒体を含む体積ホログラムであって、
前記ホログラフィック媒体が、
照明時に第１波長の光で、第１データを含む第１画像を再生する、第１光学干渉構造と、
照明時に第２波長の光で、第２データを含む第２画像を再生する、第２光学干渉構造と、を含む、体積ホログラム。
【請求項２４】
前記ホログラフィック媒体が、照明時にさらなる波長の光で、さらなるデータを含むさらなる画像を再生する、少なくとも１つのさらなる光学干渉構造をさらに含む、請求項２３に記載のホログラム。
【請求項２５】
前記第１データ、第２データ、及び／又はさらなるデータが、セキュリティ、検証、確証、識別、及び／又は認証データを含む、請求項２３又は２４に記載のホログラム。
【請求項２６】
前記第１データ、第２データ、及び／又はさらなるデータが、共通暗号化された要素を含有する、請求項２３〜２５のいずれか１項に記載のホログラム。
【請求項２７】
前記第１画像、第２画像、及び／又は存在する場合にはさらなる画像が、一連のレンチキュールを含むレンチキュラーレンズ層と、前記一連のレンチキュールに対応する第１及び第２インターレース画像を含むレンチキュラー画像層と、を含む、請求項２３〜２６のいずれか１項に記載のホログラム。
【請求項２８】
前記第１光学干渉構造が、照明時に第１角度で前記第１画像を再生し、
前記第２光学干渉構造が、照明時に第２角度で前記第２画像を再生する、請求項２３〜２７のいずれか１項に記載のホログラム。
【請求項２９】
請求項２２に直接又は間接的に従属する場合、前記少なくとも１つのさらなる光学干渉構造が、照明時にさらなる角度で前記さらなる画像を再生する、請求項２８に記載のホログラム。
【請求項３０】
前記第１光学干渉構造が、照明時に第１見かけの深さで前記第１画像を再生し、
前記第２光学干渉構造が、照明時に第２見かけの深さで前記第２画像を再生する、請求項２３〜２９のいずれか１項に記載のホログラム。
【請求項３１】
請求項２４に直接又は間接的に従属する場合、前記少なくとも１つのさらなる光学干渉構造が、照明時にさらなる見かけの深さで前記さらなる画像を再生する、請求項３０に記載のホログラム。
【請求項３２】
請求項２３〜３１のいずれか１項に記載の体積ホログラムを作成する方法であって、前記方法が、ホログラフィック媒体に、照明時に第１波長の光で、第１データを含む第１画像を再生する、第１光学干渉構造を記録することと、照明時に第２波長の光で、第２データを含む第２画像を再生する、第２光学干渉構造を記録することと、を含む、方法。
【請求項３３】
前記方法が、前記ホログラフィック媒体に、照明時にさらなる波長の光で、さらなるデータを含むさらなる画像を再生する、少なくとも１つのさらなる光学干渉構造を記憶することをさらに含む、請求項３２に記載の体積ホログラムを作成する方法。
【請求項３４】
ホログラフィック媒体を含む体積ホログラムであって、
前記ホログラフィック媒体が、
照明時に第１見かけの深さで、第１データを含む第１画像を再生する、第１光学干渉構造と、
照明時に第２見かけの深さで、第２データを含む第２画像を再生する、第２光学干渉構造と、を含む、体積ホログラム。
【請求項３５】
前記ホログラフィック媒体が、照明時に、さらなるデータを含むさらなる画像を再生する、少なくとも１つのさらなる光学干渉構造をさらに含む、請求項３４に記載のホログラム。
【請求項３６】
前記第１データ、第２データ、及び／又はさらなるデータが、セキュリティ、検証、確証、識別、及び／又は認証データを含む、請求項３４又は３５に記載のホログラム。
【請求項３７】
前記第１データ、第２データ、及び／又はさらなるデータが、共通暗号化された要素を含有する、請求項３４、３５、又は３６に記載のホログラム。
【請求項３８】
前記第１画像、第２画像、及び／又は存在する場合にはさらなる画像が、一連のレンチキュールを含むレンチキュラーレンズ層と、前記一連のレンチキュールに対応する第１及び第２インターレース画像を含むレンチキュラー画像層と、を含む、請求項３４〜３７のいずれか１項に記載のホログラム。
【請求項３９】
前記第１光学干渉構造が、照明時に第１波長の光で前記第１画像を再生し、
前記第２光学干渉構造が、照明時に第２波長の光で前記第２画像を再生する、請求項３４〜３８のいずれか１項に記載のホログラム。
【請求項４０】
請求項３４に直接又は間接的に従属する場合、前記少なくとも１つのさらなる光学干渉構造が、照明時にさらなる波長の光で前記さらなる画像を再生する、請求項３９に記載のホログラム。
【請求項４１】
前記第１光学干渉構造が、照明時に第１角度で前記第１画像を再生し、
前記第２光学干渉構造が、照明時に第２角度で前記第２画像を再生する、請求項３４〜４０のいずれか１項に記載のホログラム。
【請求項４２】
請求項３６に直接又は間接的に従属する場合、前記少なくとも１つのさらなる光学干渉構造が、照明時にさらなる角度で前記さらなる画像を再生する、請求項３４〜４１のいずれか１項に記載のホログラム。
【請求項４３】
請求項３４〜４２のいずれか１項に記載の体積ホログラムを作成する方法であって、前記方法が、ホログラフィック媒体に、第１見かけの深さで、第１データを含む第１画像を再生する、第１光学干渉構造を記録することと、第２見かけの深さで、第２データを含む第２画像を再生する、第２光学干渉構造を記録することと、を含む、方法。
【請求項４４】
請求項１〜９、１１〜２１、２３〜３１、もしくは３４〜４２のいずれか１項に記載のホログラムを含む、セキュリティマーカー。
【請求項４５】
請求項１〜９、１１〜２１、２３〜３１、もしくは３４〜４２のいずれか１項に記載のホログラムを含む、物品。
【請求項４６】
請求項１〜９、１１〜２１、２３〜３１、もしくは３４〜４２のいずれか１項に記載のホログラムを含む、パッケージング又はラベリング。
【請求項４７】
物品及び、請求項４６に記載のパッケージング又はラベリング。